(57)【要約】【課題】表示パネルが形成された透明基板上にＬＳＩを実装する際に付加される実装抵抗に起因する出力電圧の低下及び変動を抑制する。【解決手段】本発明に係る表示駆動装置１１０は、表示パネル２５が形成されている透明基板３６と、電圧ＡＶＤＤを生成する昇圧動作を行う電源回路３８と、透明基板３６上に実装されており、電源回路３８の少なくとも一部を含み、電圧ＡＶＤＤを出力する出力端子９を備える昇圧回路内蔵ＬＳＩ２８と、昇圧回路内蔵ＬＳＩ２８が透明基板３６上に実装される際に付加される実装抵抗４３を介して出力端子９と接続されている電源配線４０とを備える。昇圧回路内蔵ＬＳＩ２８は、さらに、電源配線４０に接続されている電圧モニター端子１０と、電圧モニター端子１０の電圧に応じて電源回路３８の昇圧動作の実効又は停止を制御する制御回路１４とを備える。【選択図】図２
2011013389.tif 000002
【特許請求の範囲】
【請求項１】
表示パネルを駆動する表示駆動装置であって、
前記表示パネルが形成されている透明基板と、
第１電圧を昇圧することにより第２電圧を生成する昇圧動作を行う電源回路と、
前記透明基板上に実装されており、前記電源回路の少なくとも一部を含み、前記電源回路により生成された第２電圧を出力する第１出力端子を備える半導体集積回路と、
前記半導体集積回路が前記透明基板上に実装される際に付加される実装抵抗を介して前記第１出力端子と電気的に接続されている第１電源配線と、
前記第１電源配線に電気的に接続されている第１平滑容量とを備え、
前記半導体集積回路は、さらに、
前記第１電源配線に電気的に接続されている電圧モニター端子と、
前記電圧モニター端子の電圧が、基準電圧より大きいか否かを判定するコンパレータと、
前記電圧モニター端子の電圧が前記基準電圧より小さいと前記コンパレータにより判定された場合に前記電源回路に前記昇圧動作を行わせ、前記電圧モニター端子の電圧が前記基準電圧より大きいと前記コンパレータにより判定された場合に前記電源回路の前記昇圧動作を停止する制御回路とを備える
表示駆動装置。
【請求項２】
前記表示駆動装置は、さらに、
前記第２電圧を用いて前記表示パネルを駆動する駆動部を備え、
前記第１電源配線は、さらに、前記駆動部と電気的に接続されている
請求項１記載の表示駆動装置。
【請求項３】
前記表示駆動装置は、さらに、
前記透明基板に電気的に接続されている第１基板を備え、
前記第１電源配線は前記第１基板に形成さており、
前記第１平滑容量は前記第１基板に実装されている
請求項２記載の表示駆動装置。
【請求項４】
前記電源回路は、
前記第１電圧を昇圧することにより、前記第２電圧を生成する昇圧回路と、
前記昇圧回路により生成された前記第２電圧を用いて第３電圧を生成するレギュレータ回路とを備え、
前記レギュレータ回路は、前記第２電圧を電源として用いたオペアンプを含み、
前記第１電源配線は、さらに、前記オペアンプと電気的に接続されており、
前記表示駆動装置は、さらに、
前記第３電圧を用いて表示パネルを駆動する駆動部を備える
請求項１記載の表示駆動装置。
【請求項５】
前記半導体集積回路は、さらに、前記レギュレータ回路を含み、
前記半導体集積回路は、さらに、
前記レギュレータ回路により生成された前記第３電圧を出力する第２出力端子を備え、
前記表示駆動装置は、さらに、
前記半導体集積回路が前記透明基板上に実装される際に付加される実装抵抗を介して前記第２出力端子と電気的に接続されている第２電源配線と、
前記第２電源配線に電気的に接続されている第２平滑容量とを備える
請求項４記載の表示駆動装置。
【請求項６】
前記表示駆動装置は、さらに、
前記透明基板に電気的に接続されている第１基板を備え、
前記第１電源配線及び前記第２電源配線は前記第１基板に形成されており、
前記第１平滑容量及び前記第２平滑容量は前記第１基板に実装されている
請求項５記載の表示駆動装置。
【請求項７】
前記電源回路は、
昇圧容量と、
一端に前記第１電圧が印加され、他端が前記昇圧容量の一端に接続されている第１スイッチと、
一端が接地されており、他端が前記昇圧容量の一端に接続されている第２スイッチと、
一端に前記第１電圧が印加され、他端が前記昇圧容量の他端に接続されている第３スイッチと、
一端が前記第１出力端子に接続されており、他端が前記昇圧容量の他端に接続されている第４スイッチとを含む
請求項１〜６のいずれか１項に記載の表示駆動装置。
【請求項８】
前記制御回路は、前記電圧モニター端子の電圧が前記基準電圧より小さいと前記コンパレータにより判定された場合に、前記第１スイッチ及び第４スイッチをオンするとともに、前記第２スイッチ及び前記第３スイッチをオフする第１状態と、前記第１スイッチ及び第４スイッチをオフするとともに、前記第２スイッチ及び前記第３スイッチをオンする第２状態とを交互に繰り返しすることにより、前記電源回路に前記昇圧動作を行わせ、前記電圧モニター端子の電圧が前記基準電圧より大きいと前記コンパレータにより判定された場合に前記第１スイッチ、前記第２スイッチ、前記第３スイッチ及び前記第４スイッチをオフすることにより前記電源回路の前記昇圧動作を停止する
請求項７記載の表示駆動装置。
【請求項９】
画像を表示する表示パネルと、
前記表示パネルを駆動する請求項１〜８のいずれか１項に記載の表示駆動装置とを備える
表示装置。
【発明の詳細な説明】
【技術分野】
【０００１】
本発明は、表示駆動装置及びそれを用いた表示装置に関し、特に、表示パネルが形成された透明基板上に実装されている電源用半導体集積回路を備える表示駆動装置に関する。
【背景技術】
【０００２】
例えば、特許文献１に、入力電圧を２倍の電圧に昇圧する電源回路が開示されている。特許文献１記載の電源回路は、コンデンサの前後にスイッチング素子を設け、このコンデンサ及び入力直流電源の直並列を切り換えることによって昇圧動作を行う。
【０００３】
また、特許文献１記載の電源回路は、さらに、昇圧した出力電圧を平滑化するための出力平滑用コンデンサをＬＳＩ（半導体集積回路）の外部に備える。
【０００４】
一方で、表示駆動に必要な電源を生成する電源回路を内蔵したＬＳＩを、表示パネルが形成される透明基板上に実装した表示駆動装置が知られている。
【先行技術文献】
【特許文献】
【０００５】
【特許文献１】特開２００３−１１１３８８号公報
【発明の概要】
【発明が解決しようとする課題】
【０００６】
しかしながら、特許文献１記載の電源回路を、上述した電源回路を内蔵したＬＳＩを透明基板上に実装した表示駆動装置に適用した場合、以下に示す課題が生じる。
【０００７】
出力平滑用コンデンサとＬＳＩの出力端子との間には、透明基板上にＬＳＩを実装する際に実装抵抗が付加されてしまう。この実装抵抗の影響で、負荷電流による電圧降下が発生する。つまり、特許文献１記載の電源回路を、上述した表示駆動装置に適用した場合、入力電圧の２倍の電圧よりも低い電圧が生成されてしまうという課題がある。
【０００８】
さらに、特許文献１記載の電源回路を、上述した表示駆動装置に適用した場合、上記実装抵抗の影響により、負荷電流が変動した際には、電源回路が出力する電圧も変動してしまうという課題がある。
【０００９】
このような出力電圧の降下及び負荷電流の変動による出力電圧の変動が原因で、パネル表示に必要な電圧が供給できなくなる。これにより、従来の技術は、表示が薄くなる、又は表示ができなくなる等の表示異常が発生する可能性があるという課題がある。
【００１０】
本発明は、上記従来の課題を解決するものであり、表示パネルが形成された透明基板上にＬＳＩを実装する際に付加される実装抵抗に起因する出力電圧の降下及び負荷電流の変動による出力電圧の変動を抑制できる表示駆動装置及び表示装置を提供することを目的とする。
【課題を解決するための手段】
【００１１】
上記目的を達成するために、本発明に係る表示駆動装置は、表示パネルを駆動する表示駆動装置であって、前記表示パネルが形成されている透明基板と、第１電圧を昇圧することにより第２電圧を生成する昇圧動作を行う電源回路と、前記透明基板上に実装されており、前記電源回路の少なくとも一部を含み、前記電源回路により生成された第２電圧を出力する第１出力端子を備える半導体集積回路と、前記半導体集積回路が前記透明基板上に実装される際に付加される実装抵抗を介して前記第１出力端子と電気的に接続されている第１電源配線と、前記第１電源配線に電気的に接続されている第１平滑容量とを備え、前記半導体集積回路は、さらに、前記第１電源配線に電気的に接続されている電圧モニター端子と、前記電圧モニター端子の電圧が、基準電圧より大きいか否かを判定するコンパレータと、前記電圧モニター端子の電圧が前記基準電圧より小さいと前記コンパレータにより判定された場合に前記電源回路に前記昇圧動作を行わせ、前記電圧モニター端子の電圧が前記基準電圧より大きいと前記コンパレータにより判定された場合に前記電源回路の前記昇圧動作を停止する制御回路とを備える。
【００１２】
この構成によれば、本発明に係る表示駆動装置は、出力端子から出力された後、表示パネルが形成された透明基板上にＬＳＩを実装する際に付加される実装抵抗を経由した後の第２電圧を、電圧モニター端子を介して監視し、この電圧モニター端子の電圧に応じて昇圧動作を制御する。これにより、本発明に係る表示駆動装置は、実装抵抗に起因する出力電圧の降下及び負荷電流の変動による出力電圧の変動を抑制できるので、安定した電源供給を実現できる。よって、本発明に係る表示駆動装置は、パネル表示に必要な電圧が供給できなくなり表示が薄くなる、又は表示できなくなる等の表示異常を防止できる。
【００１３】
また、前記表示駆動装置は、さらに、前記第２電圧を用いて前記表示パネルを駆動する駆動部を備え、前記第１電源配線は、さらに、前記駆動部と電気的に接続されていてもよい。
【００１４】
この構成によれば、本発明に係る表示駆動装置は、駆動部に供給される第２電圧の電圧変動を抑制できる。
【００１５】
また、前記表示駆動装置は、さらに、前記透明基板に電気的に接続されている第１基板を備え、前記第１電源配線は前記第１基板に形成さており、前記第１平滑容量は前記第１基板に実装されていてもよい。
【００１６】
また、前記電源回路は、前記第１電圧を昇圧することにより、前記第２電圧を生成する昇圧回路と、前記昇圧回路により生成された前記第２電圧を用いて第３電圧を生成するレギュレータ回路とを備え、前記レギュレータ回路は、前記第２電圧を電源として用いたオペアンプを含み、前記第１電源配線は、さらに、前記オペアンプと電気的に接続されており、前記表示駆動装置は、さらに、前記第３電圧を用いて表示パネルを駆動する駆動部を備えてもよい。
【００１７】
この構成によれば、本発明に係る表示駆動装置は、レギュレータ回路の電源として用いられる第２電圧の電圧変動を抑制できる。結果として、本発明に係る表示駆動装置は、駆動部に供給される第３電圧の電圧変動を抑制できる。
【００１８】
また、前記半導体集積回路は、さらに、前記レギュレータ回路を含み、前記半導体集積回路は、さらに、前記レギュレータ回路により生成された前記第３電圧を出力する第２出力端子を備え、前記表示駆動装置は、さらに、前記半導体集積回路が前記透明基板上に実装される際に付加される実装抵抗を介して前記第２出力端子と電気的に接続されている第２電源配線と、前記第２電源配線に電気的に接続されている第２平滑容量とを備えてもよい。
【００１９】
また、前記表示駆動装置は、さらに、前記透明基板に電気的に接続されている第１基板を備え、前記第１電源配線及び前記第２電源配線は前記第１基板に形成されており、前記第１平滑容量及び前記第２平滑容量は前記第１基板に実装されていてもよい。
【００２０】
また、前記電源回路は、昇圧容量と、一端に前記第１電圧が印加され、他端が前記昇圧容量の一端に接続されている第１スイッチと、一端が接地されており、他端が前記昇圧容量の一端に接続されている第２スイッチと、一端に前記第１電圧が印加され、他端が前記昇圧容量の他端に接続されている第３スイッチと、一端が前記第１出力端子に接続されており、他端が前記昇圧容量の他端に接続されている第４スイッチとを含んでもよい。
【００２１】
また、前記制御回路は、前記電圧モニター端子の電圧が前記基準電圧より小さいと前記コンパレータにより判定された場合に、前記第１スイッチ及び第４スイッチをオンするとともに、前記第２スイッチ及び前記第３スイッチをオフする第１状態と、前記第１スイッチ及び第４スイッチをオフするとともに、前記第２スイッチ及び前記第３スイッチをオンする第２状態とを交互に繰り返しすることにより、前記電源回路に前記昇圧動作を行わせ、前記電圧モニター端子の電圧が前記基準電圧より大きいと前記コンパレータにより判定された場合に前記第１スイッチ、前記第２スイッチ、前記第３スイッチ及び前記第４スイッチをオフすることにより前記電源回路の前記昇圧動作を停止してもよい。
【００２２】
また、本発明に係る表示装置は、画像を表示する表示パネルと、前記表示パネルを駆動する前記表示駆動装置とを備える。
【００２３】
この構成によれば、本発明に係る表示装置は、パネル表示に必要な電圧が供給できなくなり表示が薄くなる、又は表示できなくなる等の表示異常を防止できる。
【発明の効果】
【００２４】
以上より、本発明は、表示パネルが形成された透明基板上にＬＳＩを実装する際に付加される実装抵抗に起因する出力電圧の降下及び負荷電流の変動による出力電圧の変動を抑制できる表示駆動装置及び表示装置を提供できる。
【図面の簡単な説明】
【００２５】
【図１】本発明の実施の形態１に係る表示装置の構成を示す図である。
【図２】本発明の実施の形態１に係る電源回路の構成を示す図である。
【図３】本発明の実施の形態１に係る電源回路の動作を示すタイミングチャートである。
【図４】本発明の実施の形態１に係る電源回路の動作を示す図である。
【図５】本発明の実施の形態１に係る電源回路の動作を示す図である。
【図６】本発明の実施の形態１に係る電源回路の動作を示す図である。
【図７】本発明の実施の形態２に係る電源回路の構成を示す図である。
【図８】本発明の実施の形態２に係る電源回路の動作を示す図である。
【図９】本発明の実施の形態２に係る電源回路の動作を示す図である。
【図１０】本発明の実施の形態２に係る電源回路の動作を示す図である。
【発明を実施するための形態】
【００２６】
以下に、本発明の実施の形態に係る表示装置及び表示駆動装置について、図面を用いて説明する。
【００２７】
（実施の形態１）
本発明の実施の形態１に係る表示装置は、出力端子から出力された後、表示パネルが形成された透明基板上にＬＳＩを実装する際に付加される実装抵抗を経由した後の電圧を、電圧モニター端子を介して監視し、この電圧モニター端子の電圧に応じて昇圧動作を制御する。これにより、本発明の実施の形態１に係る表示駆動装置は、実装抵抗に起因する出力電圧の降下及び負荷電流の変動による出力電圧の変動を抑制できる。
【００２８】
図１は、本発明の実施の形態１に係る表示装置１００の構成を示す図である。
図１に示す表示装置１００は、例えば、液晶表示装置であり、透明基板３６と、表示パネル２５と、ゲートドライバ２６と、ソースドライバ２７と、昇圧回路内蔵ＬＳＩ２８と、基板２９と、平滑容量１Ａ、１Ｂ及び１Ｃと、電源配線４０Ａ、４０Ｂ及び４０Ｃとを備える。
【００２９】
透明基板３６は、例えばガラス基板である。表示パネル２５は、透明基板３６に形成され、画像を表示する。例えば、表示パネル２５は液晶パネルである。
【００３０】
ゲートドライバ２６、ソースドライバ２７及び昇圧回路内蔵ＬＳＩ２８は、透明基板３６上に実装されている。例えば、ゲートドライバ２６、ソースドライバ２７及び昇圧回路内蔵ＬＳＩ２８の各々は、１つの半導体集積回路（ＬＳＩ）である。
【００３１】
ゲートドライバ２６及びソースドライバ２７は、本発明の駆動部に相当し、表示パネル２５を駆動する。具体的には、ゲートドライバ２６は表示パネル２５の走査線を制御するドライバである。ソースドライバ２７は表示パネル２５のデータ線を制御するドライバである。
【００３２】
昇圧回路内蔵ＬＳＩ２８はゲートドライバ２６及びソースドライバ２７に必要な電源を生成するＬＳＩである。
【００３３】
基板２９は透明基板３６に電気的に接続されている。
昇圧回路内蔵ＬＳＩ２８は、ソースドライバ２７で電源として用いられる電圧ＡＶＤＤと、ゲートドライバ２６で電源として用いられる電圧ＶＧＧ及び電圧ＶＥＥを生成する。また、昇圧回路内蔵ＬＳＩ２８は、出力端子９Ａ、９Ｂ及び９Ｃと、電圧モニター端子１０Ａ、１０Ｂ及び１０Ｃとを備える。
【００３４】
昇圧回路内蔵ＬＳＩ２８の出力端子９Ａは昇圧回路内蔵ＬＳＩ２８で生成された電圧ＡＶＤＤが出力される端子である。この出力端子９Ａは電源配線４０Ａに電気的に接続されている。
【００３５】
昇圧回路内蔵ＬＳＩ２８の出力端子９Ｂは昇圧回路内蔵ＬＳＩ２８で生成された電圧ＶＧＧが出力される端子である。この出力端子９Ｂは電源配線４０Ｂに電気的に接続されている。
【００３６】
昇圧回路内蔵ＬＳＩ２８の出力端子９Ｃは昇圧回路内蔵ＬＳＩ２８で生成された電圧ＶＥＥが出力される端子である。この出力端子９Ｃは電源配線４０Ｃに電気的に接続されている。
【００３７】
電源配線４０Ａは、出力端子９Ａ、電圧モニター端子１０Ａ及びソースドライバ２７に電気的に接続されている。電源配線４０Ｂは、出力端子９Ｂ、電圧モニター端子１０Ｂ及びゲートドライバ２６に電気的に接続されている。電源配線４０Ｃは、出力端子９Ｃ、電圧モニター端子１０Ｃ及びゲートドライバ２６に電気的に接続されている。
【００３８】
この電源配線４０Ａ、４０Ｂ及び４０Ｃは、透明基板３６及び基板２９に形成されている。具体的には、電源配線４０Ａ、４０Ｂ及び４０Ｃの各々は、透明基板３６に形成されている第１配線部と、基板２９に形成されている第２配線部と、当該第１配線部と当該第２配線部とを電気的に接続するケーブル等の第３配線部とを含む。
【００３９】
なお、出力端子９Ａ〜９Ｃ及び電圧モニター端子１０Ａ〜１０Ｃは、上記ケーブル等の第３配線部と直接接続されていてもよいし、基板２９に形成されている第２配線部と直接接続されていてもよい。言い換えると、電源配線４０Ａ、４０Ｂ及び４０Ｃの各々は、上記第２配線部及び上記第３配線部のみを含んでもよいし、上記第２配線部のみを含んでもよい。
【００４０】
平滑容量１Ａ、１Ｂ及び１Ｃは基板２９に実装されている。平滑容量１Ａは、ＡＶＤＤ電源用の平滑容量であり、電源配線４０Ａに電気的に接続されている。ここで平滑容量１Ａは、昇圧回路内蔵ＬＳＩ２８で生成された電圧ＡＶＤＤを安定化させる役割を担っている。
【００４１】
平滑容量１Ｂは、ＶＧＧ電源用の平滑容量であり、電源配線４０Ｂに電気的に接続されている。ここで平滑容量１Ｂは、昇圧回路内蔵ＬＳＩ２８で生成された電圧ＶＧＧを安定化させる役割を担っている。
【００４２】
平滑容量１Ｃは、ＶＥＥ電源用の平滑容量であり、電源配線４０Ｃに電気的に接続されている。ここで平滑容量１Ｃは、昇圧回路内蔵ＬＳＩで生成された電圧ＶＥＥを安定化させる役割を担っている。
【００４３】
昇圧回路内蔵ＬＳＩ２８の電圧モニター端子１０Ａは平滑容量１Ａに蓄えられた電圧ＡＶＤＤをモニターし、昇圧回路内蔵ＬＳＩ２８にフィードバックさせるための端子である。
【００４４】
昇圧回路内蔵ＬＳＩ２８の電圧モニター端子１０Ｂは平滑容量１Ｂに蓄えられた電圧ＶＧＧをモニターし、昇圧回路内蔵ＬＳＩ２８にフィードバックさせるための端子である。
【００４５】
昇圧回路内蔵ＬＳＩ２８の電圧モニター端子１０Ｃは平滑容量１Ｃに蓄えられた電圧ＶＥＥをモニターし、昇圧回路内蔵ＬＳＩ２８にフィードバックさせるための端子である。
【００４６】
また、出力端子９Ａから電圧モニター端子１０Ａに至る電源配線４０Ａの経路は、平滑容量１Ａの近傍を経由することが好ましい。よって、例えば、図１に示すように出力端子９Ａから電圧モニター端子１０Ａに至る電源配線４０Ａの経路は、基板２９を経由することが好ましい。
【００４７】
同様に、出力端子９Ｂから電圧モニター端子１０Ｂに至る電源配線４０Ｂの経路、及び出力端子９Ｃから電圧モニター端子１０Ｃに至る電源配線４０Ｃの経路は、それぞれ、基板２９を経由することが好ましい。
【００４８】
なお、図１には以上の電源接続について記載しているが、パネル駆動には表示パネル２５の共通電極用電圧であるＶＣＯＭと、ゲートドライバ２６及びソースドライバ２７のデジタル電源であるＶＤＤとを別途供給する必要があるが、本発明には関係しないため省略している。
【００４９】
また、表示装置１００は、表示パネル２５を駆動する表示駆動装置１１０を含む。この表示駆動装置１１０は、上記ゲートドライバ２６と、ソースドライバ２７と、昇圧回路内蔵ＬＳＩ２８と、基板２９と、平滑容量１Ａ、１Ｂ及び１Ｃと、電源配線４０Ａ、４０Ｂ及び４０Ｃとを含む。
【００５０】
また、昇圧回路内蔵ＬＳＩ２８は、電圧ＡＶＤＤを生成する昇圧部３７Ａと、電圧ＶＧＧを生成する昇圧部３７Ｂと、電圧ＶＥＥを生成する昇圧部３７Ｃとを備える。なお、昇圧部３７Ａと、昇圧部３７Ｂと、昇圧部３７Ｃとの基本的な構成は同様である。
【００５１】
以下、昇圧部３７Ａ〜３７Ｃの一例である昇圧部３７の構成を説明する。また、以下では、昇圧部３７が昇圧部３７Ａの場合を例に説明する。
【００５２】
図２は、本発明の実施の形態１に係る昇圧部３７を含む電源回路３８の構成を示す図である。図２に示す電源回路３８は、基準電源Ｖｃｉより供給される電圧を昇圧することにより電圧ＡＶＤＤを生成する昇圧動作を行う。また、電源回路３８を生成した電圧ＡＶＤＤを出力端子９に出力する。
【００５３】
この電源回路３８は、スイッチＳ２、Ｓ３、Ｓ５及びＳ６と、端子７及び８と、出力端子９と、電圧モニター端子１０と、抵抗Ｒ１１及びＲ１２と、コンパレータ１３と、制御回路１４と、昇圧容量４とを備える。
【００５４】
また、昇圧部３７は、電源回路３８の一部を含む。具体的には、昇圧部３７は、スイッチＳ２、Ｓ３、Ｓ５及びＳ６と、端子７及び８と、出力端子９と、電圧モニター端子１０と、抵抗Ｒ１１及びＲ１２と、コンパレータ１３と、制御回路１４とを含む。
【００５５】
なお、図２に示す平滑容量１、電源配線４０、出力端子９、電圧モニター端子１０は、図１に示す平滑容量１Ａ〜１Ｃ、電源配線４０Ａ〜４０Ｃ、出力端子９Ａ〜９Ｃ、電圧モニター端子１０Ａ〜１０Ｃにそれぞれ対応する。
【００５６】
スイッチＳ５の一端は基準電源Ｖｃｉに接続されており、他端は端子７に接続されている。このスイッチＳ５のオン及びオフは制御信号Ａにより制御される。
【００５７】
スイッチＳ６の一端はグランドＶｓｓ（接地電位）に接続されており、他端は端子７に接続されている。このスイッチＳ６のオン及びオフは制御信号Ｂにより制御される。
【００５８】
スイッチＳ３の一端は基準電源Ｖｃｉに接続されており、他端は端子８に接続されている。このスイッチＳ３のオン及びオフは制御信号Ｃにより制御される。
【００５９】
スイッチＳ２の一端は出力端子９に接続されており、他端は端子８に接続されている。このスイッチＳ２のオン及びオフは制御信号Ｄにより制御される。
【００６０】
例えば、スイッチＳ２、Ｓ３、Ｓ５及びＳ６はＭＯＳトランジスタ及びバイポーラトランジスタ等のトランジスタである。なお、スイッチＳ２、Ｓ３、Ｓ５及びＳ６は、スイッチング機能を有する素子であればトランジスタ以外でもよい。
【００６１】
昇圧容量４は、昇圧回路内蔵ＬＳＩ２８の外部に形成される。この昇圧容量４の一端は実装抵抗４１を介して端子７に接続されており、他端は実装抵抗４２を介して端子８に接続されている。
【００６２】
平滑容量１の一端はグランドＶｓｓに接続されており、他端は電源配線４０に接続されている。
【００６３】
電源配線４０は、実装抵抗４３を介して出力端子９と接続されている。ここで、実装抵抗４１、４２及び４３は、昇圧回路内蔵ＬＳＩ２８を透明基板３６上に実装する際に付加される抵抗である。つまり、実装抵抗４１、４２及び４３は、端子７、端子８及び出力端子９と、透明基板３６に形成される第１配線部、基板２９に形成されている第２配線部、及びケーブル等の第３配線部のうちいずれかとの接続部分の抵抗である。
【００６４】
また、電源配線４０は電圧モニター端子１０と接続されている。この電源配線４０には、基準電源Ｖｃｉの電圧の２倍の電圧ＡＶＤＤが出力される。また、平滑容量１は基準電源Ｖｃｉの電圧の２倍の電圧ＡＶＤＤを保持する役割がある。
【００６５】
抵抗Ｒ１１の一端は電圧モニター端子１０に接続されており、他端はコンパレータ１３の第１入力端子に接続されている。
【００６６】
抵抗Ｒ１２の一端はグランドＶｓｓに接続されており、他端はコンパレータ１３の第１入力端子に接続されている。
【００６７】
コンパレータ１３の第２入力端子は、基準電圧Ｖｒｅｆ１が印加されており、出力端子は制御回路１４に接続されている。このコンパレータ１３は、第１入力端子の電圧Ｖ１と第２入力端子の電圧（基準電圧Ｖｒｅｆ１）とを比較し、電圧Ｖ１が基準電圧Ｖｒｅｆ１より大きいか否かを示す停止信号４５を生成する。言い換えると、コンパレータ１３は、電圧モニター端子１０の電圧ＡＶＤＤが、基準電圧Ｖｒｅｆ１に対応する目標電圧ＡＶＤＤ１以上であるか否かを判定する。
【００６８】
制御回路１４は、電源回路３８の昇圧動作を制御する制御信号Ａ〜Ｄを生成する。また、この制御信号Ａ〜Ｄは、それぞれスイッチＳ５、スイッチＳ６、スイッチＳ２、及びスイッチＳ３に供給される。
【００６９】
また、制御回路１４は、電圧ＡＶＤＤが目標電圧ＡＶＤＤ１になるように制御する。具体的には、制御回路１４は、コンパレータ１３により出力される停止信号４５により電圧Ｖ１が基準電圧Ｖｒｅｆ１より小さいことが示される場合、電源回路３８に昇圧動作を行わせ、停止信号４５により電圧Ｖ１が基準電圧Ｖｒｅｆ１より大きいことが示される場合、電源回路３８の昇圧動作を停止する。
【００７０】
以下、図２に示す電源回路３８の動作を、図３〜図６を参照しながら説明する。
図３は、電源回路３８の動作を示すタイミングチャートである。また、図４〜図６は、電源回路３８の動作を模式的に示す図である。
【００７１】
電源回路３８に図３に示す制御を行うことで、平滑容量１に目標電圧ＡＶＤＤ１を生成することが可能となる。
【００７２】
ここで、図３に示す期間ｔ１及びｔ２では、電源回路３８は昇圧動作を行う動作状態であり、期間ｔ３では、電源回路３８は昇圧動作を行わない停止状態である。
【００７３】
まず、図３に示す期間ｔ１では、図４に示すように、制御回路１４は、スイッチＳ６及びスイッチＳ３をオンし、スイッチＳ５及びスイッチＳ２をオフする。これにより、昇圧容量４には基準電源Ｖｃｉの電圧が蓄えられる。
【００７４】
次に、図３に示す期間ｔ２では、図５に示すように、制御回路１４は、スイッチＳ５及びスイッチＳ２をオンし、スイッチＳ６及びスイッチＳ３をオフする。これにより、端子８の電圧は基準電源Ｖｃｉの電圧以上に昇圧される。また、昇圧容量４と平滑容量１とが電気的に接続されることにより、昇圧された電圧が平滑容量１に供給される。
【００７５】
図４に示す動作と図５に示す動作とを繰り返すことにより、平滑容量１に目標電圧ＡＶＤＤ１が生成される。
【００７６】
ここで、平滑容量１の電圧が電圧モニター端子１０を介してフィードバックされた電圧が抵抗Ｒ１１を介してコンパレータ１３に入力される。
【００７７】
図４に示す動作と図５に示す動作とを繰り返すことで、平滑容量１の電圧ＡＶＤＤが目標電圧ＡＶＤＤ１以上になった場合、コンパレータ１３に入力される電圧Ｖ１が基準電圧Ｖｒｅｆ１より大きくなる。これにより、図６に示すように、コンパレータ１３は、制御回路１４へハイレベルの停止信号４５を出力する。ハイレベルの停止信号４５を受けた制御回路１４は、図６に示すように、スイッチＳ２とスイッチＳ３とスイッチＳ５とスイッチＳ６とをオフする。これにより、電源回路３８は停止状態となる。
【００７８】
停止状態において、負荷電流Ｉ１により、平滑容量１の電圧ＡＶＤＤが目標電圧ＡＶＤＤ１よりも低くなった場合、コンパレータ１３に入力される電圧Ｖ１が基準電圧Ｖｒｅｆ１より小さくなる。これにより、コンパレータ１３は、制御回路１４へロウレベルの停止信号４５を出力する。ロウレベルの停止信号４５を受けた制御回路１４は、電源回路３８に図４及び図５に示す動作を繰り返し行わせる。つまり、電源回路３８は動作状態となる。
【００７９】
このように図４〜図６の動作を不定期に繰り返すことにより、電源回路３８は、平滑容量１に目標電圧ＡＶＤＤ１を安定して供給できる。
【００８０】
ここで、出力端子９から出力された後、実装抵抗４３を経由した後の電圧ＡＶＤＤは、負荷電流Ｉ１と実装抵抗４３の抵抗値との積に相当する電圧値ΔＶだけ、出力端子９の電圧より低くなる。よって、例えば、出力端子９の電圧（実装抵抗４３を経由する前の電圧）をコンパレータ１３で監視した場合には、電源配線４０の電圧ＡＶＤＤは、目標電圧ＡＶＤＤ１−ΔＶとなってしまう。つまり、電圧ＡＶＤＤは、目標電圧ＡＶＤＤ１より低くなってしまうという問題が生じる。
【００８１】
さらに、この電圧値ΔＶは、負荷電流Ｉ１が変動することにより変動する。つまり、出力端子９の電圧をコンパレータ１３で監視した場合には、負荷電流Ｉ１の変動により出力電圧ＶＡＤＤが変動してしまうという問題が生じる。
【００８２】
一方で、本発明の実施の形態１に係る電源回路３８は、出力端子９から出力された後、実装抵抗４３を経由した後の電圧ＡＶＤＤを、電圧モニター端子１０を介して監視し、この電圧モニター端子１０の電圧ＡＶＤＤに応じて昇圧動作を制御する。よって、電源回路３８は、平滑容量１に目標電圧ＡＶＤＤ１を安定して出力できる。つまり、電源回路３８は、実装抵抗４３による出力電圧ＡＶＤＤの降下と、負荷電流Ｉ１の変動による出力電圧ＡＶＤＤの変動とを抑制できる。
【００８３】
また、この電源回路３８を備える表示装置１００は、ゲートドライバ２６の駆動に必要な電圧ＶＧＧ及び電圧ＶＥＥと、ソースドライバ２７の駆動に必要な電圧ＡＶＤＤとを安定して供給できる。これにより、表示装置１００は、パネル表示に必要な電圧をゲートドライバ２６又はソースドライバ２７に供給できなくなることにより生じる、表示が薄くなる又は表示ができなくなるという表示異常の発生を防止することができる。
【００８４】
（実施の形態２）
本発明の実施の形態２では、上述した実施の形態１に係る電源回路３８の変形例について説明する。
【００８５】
具体的には、実施の形態２では、昇圧した電圧を電源として用いたオペアンプの出力をパネル駆動電源（ＡＶＤＤ）として使用する場合について説明する。
【００８６】
図７は、本発明の実施の形態２に係る電源回路３８Ａの構成を示す図である。なお、図２と同様の要素には同一の符号を付している。また、実施の形態１と同様に、この電源回路３８Ａは、表示装置１００に搭載される。
【００８７】
図７に示す電源回路３８Ａは、昇圧回路２１と、レギュレータ回路２２とを含む。また、表示装置１００（表示駆動装置１１０）は、平滑容量１及び２０と、電源配線５０及び５３とを含む。
【００８８】
なお、昇圧回路２１の構成は、上述した実施の形態１に係る電源回路３８と同様であり、実施の形態２に係る電源回路３８Ａは、電源回路３８の構成に加え、さらに、レギュレータ回路２２を備える。
【００８９】
昇圧回路２１は、基準電源Ｖｃｉより供給される電圧を昇圧することにより電圧Ｖ２を生成する昇圧動作を行う。また、昇圧回路２１は、生成した電圧Ｖ２を出力端子９に出力する。
【００９０】
レギュレータ回路２２は、昇圧回路２１により生成された電圧Ｖ２を用いて、ソースドライバ２７に供給する、安定化された電圧ＡＶＤＤを生成する。ここで、電圧ＡＶＤＤは、電圧Ｖ２より低い電圧である。このレギュレータ回路２２は、電圧Ｖ２が入力される入力端子１６と、電圧ＡＶＤＤを出力する出力端子１５とを備える。
【００９１】
昇圧回路２１は、スイッチＳ２、Ｓ３、Ｓ５及びＳ６と、端子７及び８と、出力端子９と、電圧モニター端子１０と、抵抗Ｒ１１及びＲ１２と、コンパレータ１３と、制御回路１４と、昇圧容量４とを備える。
【００９２】
また、昇圧回路内蔵ＬＳＩ２８の昇圧部３７は、電源回路３８の一部及びレギュレータ回路２２を含む。具体的には、昇圧部３７は、スイッチＳ２、Ｓ３、Ｓ５及びＳ６と、端子７及び８と、出力端子９と、電圧モニター端子１０と、抵抗Ｒ１１及びＲ１２と、コンパレータ１３と、制御回路１４と、レギュレータ回路２２とを含む。
【００９３】
スイッチＳ５の一端は基準電源Ｖｃｉに接続されており、他端は端子７に接続されている。このスイッチＳ５のオン及びオフは制御信号Ａにより制御される。
【００９４】
スイッチＳ６の一端はグランドＶｓｓに接続されており、他端は端子７に接続されている。このスイッチＳ６のオン及びオフは制御信号Ｂにより制御される。
【００９５】
スイッチＳ３の一端は基準電源Ｖｃｉに接続されており、他端は端子８に接続されている。このスイッチＳ３のオン及びオフは制御信号Ｃにより制御される。
【００９６】
スイッチＳ２の一端は出力端子９に接続されており、他端は端子８に接続されている。このスイッチＳ２のオン及びオフは制御信号Ｄにより制御される。
【００９７】
例えば、スイッチＳ２、Ｓ３、Ｓ５及びＳ６はＭＯＳトランジスタ及びバイポーラトランジスタ等のトランジスタである。なお、スイッチＳ２、Ｓ３、Ｓ５及びＳ６は、スイッチング機能を有する素子であればトランジスタ以外でもよい。
【００９８】
昇圧容量４は、昇圧回路内蔵ＬＳＩ２８の外部に形成される。この昇圧容量４の一端は実装抵抗４１を介して端子７に接続されており、他端は実装抵抗４２を介して端子８に接続されている。
【００９９】
平滑容量１及び２０は基板２９に実装されている。平滑容量１の一端はグランドＶｓｓに接続されており、他端は電源配線５０に接続されている。
【０１００】
電源配線５０は、出力端子９に実装抵抗４３を介して電気的に接続されており、入力端子１６に実装抵抗５１を介して電気的に接続されている。また、電源配線５０は、電圧モニター端子１０に電気的に接続されている。
【０１０１】
よって、この電源配線５０には、基準電源Ｖｃｉの電圧の２倍の電圧Ｖ２が出力される。また、平滑容量１は基準電源Ｖｃｉの電圧の２倍の電圧Ｖ２を保持する役割がある。
【０１０２】
平滑容量２０の一端はグランドＶｓｓに接続されており、他端は電源配線５３に接続されている。
【０１０３】
電源配線５３は、実装抵抗５２を介して出力端子１５に電気的に接続されている。また、電源配線５３は、ソースドライバ２７に電気的に接続されている。
【０１０４】
また、電源配線５０及び電源配線５３は、透明基板３６及び基板２９に形成されている。具体的には、電源配線５０及び５３の各々は、透明基板３６に形成されている第１配線部と、基板２９に形成されている第２配線部と、当該第１配線部と当該第２配線部とを電気的に接続するケーブル等の第３配線部とを含む。
【０１０５】
なお、出力端子９、電圧モニター端子１０、出力端子１５及び入力端子１６は、上記ケーブル等の第３配線部と直接接続されていてもよいし、基板２９に形成されている第２配線部と直接接続されていてもよい。言い換えると、電源配線５０及び５３の各々は、上記第２配線部及び上記第３配線部のみを含んでもよいし、上記第２配線部のみを含んでもよい。
【０１０６】
ここで、実装抵抗４１、４２、４３、５１及び５２は、昇圧回路内蔵ＬＳＩ２８を透明基板３６上に実装する際に付加される抵抗である。つまり、実装抵抗４１、４２、４３、５２及び５３は、端子７、端子８、出力端子９、入力端子１６及び出力端子１５と、透明基板３６に形成される第１配線部、基板２９に形成されている第２配線部、及びケーブル等の第３配線部のうちいずれかとの接続部分の抵抗である。
【０１０７】
抵抗Ｒ１１の一端は電圧モニター端子１０に接続されており、他端はコンパレータ１３の第１入力端子に接続されている。
【０１０８】
抵抗Ｒ１２の一端はグランドＶｓｓに接続されており、他端はコンパレータ１３の第１入力端子に接続されている。
【０１０９】
コンパレータ１３の第２入力端子は、基準電圧Ｖｒｅｆ１が接続されており、出力端子は制御回路１４に接続されている。このコンパレータ１３は、第１入力端子の電圧Ｖ１と第２入力端子の電圧（基準電圧Ｖｒｅｆ１）とを比較し、電圧Ｖ１が基準電圧Ｖｒｅｆ１より大きいか否かを示す停止信号４５を生成する。言い換えると、コンパレータ１３は、電圧モニター端子１０の電圧Ｖ２が、基準電圧Ｖｒｅｆ１に対応する目標電圧Ｖ３以上であるか否かを判定する。
【０１１０】
制御回路１４は、昇圧回路２１の昇圧動作を制御する制御信号Ａ〜Ｄを生成する。また、この制御信号Ａ〜Ｄは、それぞれスイッチＳ５、スイッチＳ６、スイッチＳ２、及びスイッチＳ３に供給される。
【０１１１】
また、制御回路１４は、電圧Ｖ２が目標電圧Ｖ３以上であるか否かに応じて、昇圧回路２１に昇圧動作を行わせるか否かを制御する。具体的には、制御回路１４は、コンパレータ１３により出力される停止信号４５により電圧Ｖ１が基準電圧Ｖｒｅｆ１より小さいことが示される場合、昇圧回路２１に昇圧動作を行わせ、停止信号４５により電圧Ｖ１が基準電圧Ｖｒｅｆ１より大きいことが示される場合、昇圧回路２１の昇圧動作を停止する。
【０１１２】
レギュレータ回路２２は、抵抗Ｒ１７及びＲ１８と、オペアンプ１９とを備える。
抵抗Ｒ１７の一端はオペアンプ１９の第１入力端子に接続されており、他端は出力端子１５に接続されている。
【０１１３】
抵抗Ｒ１８の一端はグランドＶｓｓに接続されており、他端は出力端子１５に接続されている。
【０１１４】
オペアンプ１９は第２入力端子に基準電圧Ｖｒｅｆ２が印加されており、出力端子が出力端子１５に接続されている。このオペアンプ１９は、入力端子１６の電圧Ｖ２を電源として用いて、電圧ＡＶＤＤを生成する。
【０１１５】
以下、図７に示す電源回路３８Ａの動作を、図３及び図８〜図１０を参照しながら説明する。
【０１１６】
ここで、電源回路３８Ａの動作を示すタイミングチャートは図３と同様である。また、図９〜図１１は、電源回路３８Ａの動作を模式的に示す図である。
【０１１７】
電源回路３８Ａに図３に示す制御を行うことで、平滑容量２０に目標電圧ＡＶＤＤ１を生成することが可能となる。
【０１１８】
まず、図３に示す期間ｔ１では、図８に示すように、制御回路１４は、スイッチＳ６及びスイッチＳ３をオンし、スイッチＳ５及びスイッチＳ２をオフする。これにより、昇圧容量４には基準電源Ｖｃｉの電圧が蓄えられる。
【０１１９】
次に、図３に示す期間ｔ２では、図９に示すように、ス制御回路１４は、スイッチＳ５及びスイッチＳ２をオンし、スイッチＳ６及びスイッチＳ３をオフする。これにより、端子８の電圧は基準電源Ｖｃｉの電圧以上に昇圧される。また、昇圧容量４と平滑容量１とが電気的に接続されることにより、昇圧された電圧が平滑容量１に供給される。
【０１２０】
図８に示す動作と図９に示す動作とを繰り返すことにより、平滑容量１に目標電圧Ｖ３が生成される。
【０１２１】
ここで、平滑容量１の電圧Ｖ２が電圧モニター端子１０を介してフィードバックされた電圧が抵抗Ｒ１１を介してコンパレータ１３に入力される。
【０１２２】
図９に示す動作と図１０に示す動作とを繰り返すことで、平滑容量１の電圧Ｖ２が目標電圧Ｖ３以上になった場合、コンパレータ１３に入力される電圧Ｖ１が基準電圧Ｖｒｅｆ１より大きくなる。これにより、図１１に示すように、コンパレータ１３は、制御回路１４へハイレベルの停止信号４５を出力する。ハイレベルの停止信号４５を受けた制御回路１４は、図１１に示すように、スイッチＳ２とスイッチＳ３とスイッチＳ５とスイッチＳ６とをオフする。これにより、電源回路３８は停止状態となる。
【０１２３】
停止状態において、負荷電流Ｉ１により、平滑容量１の電圧Ｖ２が目標電圧Ｖ３よりも低くなった場合、コンパレータ１３に入力される電圧Ｖ１が基準電圧Ｖｒｅｆ１より小さくなる。これにより、コンパレータ１３は、制御回路１４へロウレベルの停止信号４５を出力する。ロウレベルの停止信号４５を受けた制御回路１４は、電源回路３８に図４及び図５に示す動作を繰り返し行わせる。つまり、電源回路３８は動作状態となる。
【０１２４】
このように図８〜図１０の動作を不定期に繰り返すことにより、昇圧回路２１は、平滑容量１に目標電圧Ｖ３を安定して供給できる。
【０１２５】
一方で、レギュレータ回路２２は、昇圧回路２１により生成された電圧Ｖ２を用いて、ソースドライバ２７に供給する電圧ＡＶＤＤを生成する。上述のように電圧Ｖ２として目標電圧Ｖ３が安定して供給されることにより、レギュレータ回路２２により生成される電圧ＡＶＤＤも安定する。
【０１２６】
以上のように、本発明の実施の形態２に係る電源回路３８Ａは、出力端子９から出力された後、実装抵抗４３を経由した後の電圧Ｖ２を、電圧モニター端子１０を介して監視し、この電圧モニター端子１０の電圧Ｖ２に応じて昇圧動作を制御する。よって、昇圧回路２１は、平滑容量１に目標電圧Ｖ３を安定して出力できる。つまり、昇圧回路２１は、実装抵抗４３による電圧Ｖ２の降下と、負荷電流Ｉ１の変動による電圧Ｖ２の変動とを抑制できる。
【０１２７】
このように電圧Ｖ２として目標電圧Ｖ３が安定して供給されることにより、レギュレータ回路２２により生成される電圧ＡＶＤＤも安定する。つまり、電源回路３８Ａは、実装抵抗４３による電圧ＡＶＤＤの降下と、負荷電流Ｉ１の変動による電圧ＡＶＤＤの変動とを抑制できる。
【０１２８】
また、この電源回路３８Ａを備える表示装置１００は、ゲートドライバ２６の駆動に必要な電圧ＶＧＧ及び電圧ＶＥＥと、ソースドライバ２７の駆動に必要な電圧ＡＶＤＤとを安定して供給できる。これにより、表示装置１００は、パネル表示に必要な電圧をゲートドライバ２６又はソースドライバ２７に供給できなくなることにより生じる、表示が薄くなる又は表示ができなくなるという表示異常の発生を防止することができる。
【０１２９】
以上、本発明の実施の形態１及び２に係る表示装置１００について説明したが、本発明は、この実施の形態に限定されるものではない。
【０１３０】
例えば、上記実施の形態１〜２に係る、表示装置１００、電源回路３８、電源回路３８Ａ及びその変形例の機能のうち少なくとも一部を組み合わせてもよい。
【０１３１】
また、上記説明では、本発明を、液晶パネルを備える表示装置１００に適用した例を述べたが、液晶パネル以外を備える表示装置に本発明を適用してもよい。例えば、有機ＥＬ（エレクトロルミネッセンス）パネル又はＰＤＰ（プラズマディスプレイパネル）を備える表示装置に本発明を適用してもよい。
【０１３２】
また、上記で用いた数字は、すべて本発明を具体的に説明するために例示するものであり、本発明は例示された数字に制限されない。さらに、ハイ／ロウにより表される論理レベル又はオン／オフにより表されるスイッチング状態は、本発明を具体的に説明するために例示するものであり、例示された論理レベル又はスイッチング状態の異なる組み合わせにより、同等な結果を得ることも可能である。また、構成要素間の接続関係は、本発明を具体的に説明するために例示するものであり、本発明の機能を実現する接続関係はこれに限定されない。
【０１３３】
更に、本発明の主旨を逸脱しない限り、本実施の形態に対して当業者が思いつく範囲内の変更を施した各種変形例も本発明に含まれる。
【産業上の利用可能性】
【０１３４】
本発明は、表示装置及び表示駆動装置に適用でき、特に、液晶パネルを備える表示装置に好適である。
【符号の説明】
【０１３５】
１、１Ａ、１Ｂ、１Ｃ、２０  平滑容量
４  昇圧容量
７、８  端子
９、９Ａ、９Ｂ、９Ｃ、１５  出力端子
１０、１０Ａ、１０Ｂ、１０Ｃ  電圧モニター端子
１３  コンパレータ
１４  制御回路
１６  入力端子
１９  オペアンプ
２１  昇圧回路
２２  レギュレータ回路
２５  表示パネル
２６  ゲートドライバ
２７  ソースドライバ
２８  昇圧回路内蔵ＬＳＩ
２９  基板
３６  透明基板
３７、３７Ａ、３７Ｂ、３７Ｃ  昇圧部
３８、３８Ａ  電源回路
４０、４０Ａ、４０Ｂ、４０Ｃ、５０、５３  電源配線
４１、４２、４３、５１、５２  実装抵抗
４５  停止信号
１００  表示装置
１１０  表示駆動装置
Ａ、Ｂ、Ｃ、Ｄ  制御信号
Ｉ１  負荷電流
Ｒ１１、Ｒ１２、Ｒ１７、Ｒ１８  抵抗
Ｓ２、Ｓ３、Ｓ５、Ｓ６  スイッチ
Ｖｃｉ  基準電源
Ｖｒｅｆ１、Ｖｒｅｆ２  基準電圧
Ｖｓｓ    グランド
【図１】
2011013389.tif 000003
【図２】
2011013389.tif 000004
【図３】
2011013389.tif 000005
【図４】
2011013389.tif 000006
【図５】
2011013389.tif 000007
【図６】
2011013389.tif 000008
【図７】
2011013389.tif 000009
【図８】
2011013389.tif 000010
【図９】
2011013389.tif 000011
【図１０】
2011013389.tif 000012